(57)【特許請求の範囲】
【請求項１】
少なくとも１台のエレベータを制御するエレベータ制御システムであって、
建物内でのイベントの予約データが登録されるサーバーを含む建物内ＬＡＮに直接接続され、上記サーバー内のイベントの予約データに従って該当エレベータの制御系に該イベントに対する制御情報を配信してエレベータの制御を行う少なくとも１つのエレベータ群管理盤を備え、上記エレベータ群管理盤の１つが、上記サーバーに登録されたイベントの新規予約データを抽出する予約データ抽出手段と、上記抽出された予約データに従って該イベントをサービスするエレベータ群管理バンクを選択する群管理バンク選択手段と、上記選択されたバンクの群管理盤に上記抽出された予約データのイベントに対する制御情報を配信する配信手段と、を備えたことを特徴とするエレベータ制御システム。
【請求項２】
上記各エレベータ群管理盤の上記配信手段がイベントに対する制御パターンを配信することを特徴とする請求項１に記載のエレベータ制御システム。
【請求項３】
上記各エレベータ群管理盤が各イベントに対する運転パターンを格納し、上記配信手段がイベントの種類を配信することを特徴とする請求項１に記載のエレベータ制御システム。
【請求項４】
上記建物内でのイベントの予約データが会議室予約に関するものであることを特徴とする請求項１ないし３のいずれか１項に記載のエレベータ制御システム。
【請求項５】
上記建物内でのイベントの予約データがＶＩＰ訪問に関するものであることを特徴とする請求項１ないし３のいずれか１項に記載のエレベータ制御システム。
【発明の詳細な説明】
【０００１】
【発明の属する技術分野】
この発明は、エレベータ制御システムにおいて、建物内ＬＡＮの共通サーバーに登録されている例えば会議室の予約状況やＶＩＰ訪問のスケジュール等の建物内でのイベント(行事)の予約データに基づきエレベータの制御パターンを自動設定するものに関する。
【０００２】
【従来の技術】
図５は従来のこの種のエレベータ制御システムの構成を示す図である。図５は３つのバンク(群管理される一群のエレベータ(図５では３台ずつ))から成る群管理システム事例における、従来の建物内ＬＡＮ１、エレベータ監視盤４およびエレベータ群管理盤６ａ〜６ｃの構成を示す図である。
【０００３】
図５において、１は建物内のＬＡＮ(ケーブル)、２ａ〜２ｆはＬＡＮ１に接続されている建物内の個人端末、３は建物内ＬＡＮ１につながっている共通サーバーを示す。
【０００４】
４はエレベータ監視盤(ＣＲＴ型)を示す。一般例としてはエレベータ監視盤４と建物内のＬＡＮ１は接続されていない。近年、建物内の個人端末２ａ〜２ｆからもエレベータの状況をモニターすることを目的に建物内ＬＡＮ１とエレベータ監視盤４を接続する例もある。
【０００５】
５はエレベータの各群管理盤６ａ〜６ｃをつなぐエレベータ用ＬＡＮ(ケーブル)、６ａ〜６ｃは各バンク毎のエレベータ群管理盤、７ａ〜７ｉはエレベータの各台制御盤、８ａ〜８ｉは各エレベータのかごとＣＷＴ(釣合い重り)を示す。
【０００６】
そして１２ａ〜１２ｃは各群管理盤６ａ〜６ｃに接続された例えばラップトップコンピュータ型の群管理交通パターン入力装置を示す。
【０００７】
次に動作について説明する。上記構成で、建物内ＬＡＮ１を利用して会議室予約をする場合の一例を示す。建物内の個人端末２ａにて会議室予約を行うと、その予約データは建物内のＬＡＮ１を介して共通サーバー３に送信される。これで、会議室予約が完了する。
【０００８】
一方、エレベータの群管理交通パターンの一つである会議サービス運転を利用する場合、エレベータ群管理盤６ａに接続された群管理交通パターン入力装置１２ａにて会議室サービス運転の開始時刻と終了時刻を入力設定している。
【０００９】
【発明が解決しようとする課題】
以上のように構成された従来のエレベータ制御システムでは、建物内の個人端末２ａから入力した会議室予約データと、群管理交通パターン入力装置１２ａから入力される群管理交通パターン設定データとが共有化(リンク)されていないことから、常に担当者(例えば管理室の担当者)等の人手によって共通サーバー３のデータを確認し、群管理交通パターン入力装置１２ａで設定する必要があった。
【００１０】
また、エレベータのバンクが異なると、各群管理盤６ｂ、６ｃ毎に群管理交通パターン入力装置１２ｂ、１２ｃを使って開始時刻と終了時刻を設定する必要があった。
【００１１】
その結果、最新の予約状況がエレベータ群管理盤側に設定されていなかったり、設定間違いや設定漏れが生じるという不具合が発生するという問題があった。
【００１２】
すなわち従来、各交通パターンの開始時刻や終了時刻の設定は各バンク毎にエレベータ群管理盤に接続されたラップトップタイプコンピューター(エレベータ群管理交通パターン入力装置)にて設定していた。よって、管理担当者が逐次、会議室の予約状況やＶＩＰ訪問のスケジュールを確認し、その状況に合わせてエレベータ群管理交通パターン入力装置で開始時刻や終了時刻を予約しないとその機能を活用することができなかった。
【００１３】
この発明は上記のような課題を解消するためになされたもので、建物内ＬＡＮにエレベータの監視盤(ＣＲＴ型)またはエレベータ群管理盤を接続し、共通サーバーに登録されているイベントの予約データ、例えば会議室の予約状況やＶＩＰ訪問のスケジュール等をエレベータ側で定期的に読み出し、そのデーターを元に、会議室サービス運転やＶＩＰ運転の交通パターンさらにこれらの開始時刻や終了時刻を含むエレベータ制御パターンの設定を行うエレベータ制御システムを提供することを目的とする。
【００１４】
このシステムによって、従来行っていた各バンク毎にエレベータ群管理交通パターン入力装置を使って人手により各交通パターンおよびその開始時刻や終了時刻を設定することを不要とし、群管理盤側で常時、新しい予約状態を検出し設定することを可能にする。
【００１５】
【課題を解決するための手段】
上記の目的に鑑み、この発明は、少なくとも１台のエレベータを制御するエレベータ制御システムであって、建物内でのイベントの予約データが登録されるサーバーを含む建物内ＬＡＮに直接接続され、上記サーバー内のイベントの予約データに従って該当エレベータの制御系に該イベントに対する制御情報を配信してエレベータの制御を行う少なくとも１つのエレベータ群管理盤を備え、上記エレベータ群管理盤の１つが、上記サーバーに登録されたイベントの新規予約データを抽出する予約データ抽出手段と、上記抽出された予約データに従って該イベントをサービスするエレベータ群管理バンクを選択する群管理バンク選択手段と、上記選択されたバンクの群管理盤に上記抽出された予約データのイベントに対する制御情報を配信する配信手段と、を備えたことを特徴とするエレベータ制御システムにある。
【００１６】
また、上記各エレベータ群管理盤の上記配信手段がイベントに対する制御パターンを配信することを特徴とする。
【００１７】
また、上記各エレベータ群管理盤が各イベントに対する運転パターンを格納し、上記配信手段がイベントの種類を配信することを特徴とする。
【００１８】
また、上記建物内でのイベントの予約データが会議室予約に関するものであることを特徴とする。
【００１９】
また、上記建物内でのイベントの予約データがＶＩＰ訪問に関するものであることを特徴とする。
【００２０】
【発明の実施の形態】
以下この発明によるエレベータ制御システムを各実施の形態に従って説明する。
実施の形態１．
図１はこの発明の一実施の形態によるエレベータ制御システムの構成を示す図である。図１において１から８ｉ迄は図５に示す従来のものと同一もしくは相当部分であり、説明を省略する。
【００２１】
９は例えば建物内の個人端末２ａからイベント予約として会議室予約を行い、その予約データが建物内のＬＡＮ１を介して、共通サーバー３に送信され登録される流れを示す。１０は共通サーバー３に入力登録されているイベントの予約データをエレベータ監視盤４が呼び出す流れを示す。１１はエレベータ監視盤４が共通サーバー３のイベントの予約データを元に、該イベントに対するエレベータの交通パターン(運転パターン)およびその開始時刻と終了時刻等を含む制御パターンを該当エレベータの制御系、例えばここでは群管理盤６ａに配信する流れを示す。
【００２２】
次に動作について説明する。上記構成で、建物内ＬＡＮ１を利用して会議室予約等のイベント予約をする場合の一例を示す。従来技術でも説明した通り、建物内の個人端末２ａで例えば会議室予約を行うと、その予約データは建物内のＬＡＮ１を介して共通サーバー３に送信される。図に示す個人端末２ａから送られる会議室予約データの流れ９の通りである。これで、会議室予約が完了する。
【００２３】
エレベータ監視盤４は定期的(例えば１５分間隔)に、共通サーバー３のデータを読込む。図１に示す共通サーバー３からエレベータ監視盤４へのデータの流れ１０の通りである。
【００２４】
エレベータ監視盤４にて会議室予約データを抽出し、エレベータ群管理盤６ａから６ｃに既に登録されている予約データとは別に新しい予約データが有る場合、新しい予約データに対するエレベータの制御パターン(例えばエレベータの交通パターンおよびその開始時刻と終了時刻)を該当する群管理盤(図の場合エレベータ群管理盤６ａ)に送る。図中、エレベータ監視盤４から群管理盤６ａへのデータの流れ１１の通りである。
【００２５】
エレベータ群管理盤６ａは新たに受信した制御パターンにしたがって該会議室サービス運転を設定する。
【００２６】
このエレベータ監視盤４の動作フローチャートの一例を図２に示す。Ｓ１００にてこの処理を開始する。まず、Ｓ１０１にて共通サーバー３のデータを確認する時刻かチェックする。時刻になっていない時は、無処理でＳ１０９の終了にジャンプする。確認時刻になっている場合、Ｓ１０２にて共通サーバー３の予約データを読み込む。
【００２７】
Ｓ１０３にて今回読み出したサーバーデータと前回のデータの比較を行う。Ｓ１０４にて前回データと同じ場合はＳ１０９ヘジャンプし、無処理で終了する。データが前回のデータと異なる場合は、Ｓ１０５にて新規に登録されている会議室予約データを抽出し、Ｓ１０６にてその会議室をサービスする群管理バンクを選択する。
【００２８】
例えば会議室予約のデータの場合には予約された会議室の部屋番号が含まれているので、エレベータ監視盤４は会議室の部屋番号とこれに対して会議サービス運転を行う群管理バンクとの対応テーブル(特に図示せず)を予めメモリ等に格納しておき、これに基づいてサービスする群管理バンクを選択する。
【００２９】
そしてＳ１０７にて対象となるバンクの群管理盤へ、新規にされた会議室予約に対する制御パターン(エレベータの交通パターンおよびその開始時刻と終了時刻等を含む)を配信する。
【００３０】
エレベータ監視盤４はまた、会議室サービス運転や後述のＶＩＰ運転等の各種イベントとこれらに対するそれぞれのエレベータの交通パターンとの対応テーブル(特に図示せず)も予めメモリ等に格納しておき、これに基づいて交通パターンすなわち制御パターンを対象となる群管理バンクに配信する。また、交通パターンの開始時刻と終了時刻は、例えば共通サーバー３からの予約データ中のイベントの開始時刻と終了時刻からそれぞれ所定の時間ずら(例えば開始時刻は早め終了時刻は遅くする)ことにより求める。
【００３１】
Ｓ１０８にて新規登録データが他にないかを確認する。他に有る場合はＳ１０６からＳ１０７の処理を繰り返す。そして全て処理が完了したら、Ｓ１０９にて処理全てを終了する。
【００３２】
このようにエレベータ監視盤４が定期的に共通サーバー３の予約状況を確認し、エレベータ群管理盤６ａ〜６ｃに会議室サービス運転の交通パターンや開始時刻や終了時刻を配信することで、従来行っていた群管理交通パターン入力装置による、会議室サービス運転の開始時刻や終了時刻の設定実施が不要となり、且つ、常時最新予約状況を維持することができる。また、従来発生していた会議室サービス運転の時刻設定の間違いや設定漏れは発生しなくなる。
【００３３】
実施の形態２．
図３はこの発明の別の実施の形態によるエレベータ制御システムの構成を示す図である。図３において図１と同一もしくは相当部分は同一符号で示し、説明を省略する。全体的な構成は図１と同様であり、ただし本実施の形態ではエレベータ監視盤４が無い事例であり、エレベータ群管理盤６ａから６ｃが直接建物内のＬＡＮ１に接続されている。１０ａは共通サーバー３からエレベータ群管理盤６ａへのデータの流れを示す。
【００３４】
この場合、図２のフローチャートで示した処理Ｓ１００からＳ１０９をエレベータ群管理盤６ａ〜６ｃのいずれかで実施することで、同様の機能を実施することができる。図３ではエレベータ群管理盤６ａで実施している例を示しており、従って群管理盤６ａは上述のテーブルも備える。
【００３５】
さらに図４は図１および図３のエレベータ制御システムにおいて、会議室サービス運転の設定と同じ方法によりＶＩＰ運転を設定する事例のフローチャートである。Ｓ２０５にて抽出した共通サーバー３のデータからＶＩＰのスケジュールを抽出し、ＶＩＰが建物に入場する時刻、退場する時刻およびＶＩＰ運転時のエレベータの交通パターン等を当該バンクの群管理盤(ＶＩＰ号機エレベータを持つ群管理盤)へ配信することで、群管理交通パターン入力装置による設定を実施すること無く、ＶＩＰ運転の開始時刻と終了時刻をエレベータ側で設定することができる。
【００３６】
なお、上記各実施の形態ではエレベータ監視盤４あるいはエレベータ群管理盤６ａ〜６ｃのいずれかから対処バンクの群管理盤にエレベータの交通パターンおよびその開始時刻と終了時刻等を含む制御パターンを配信しているが、各エレベータ群管理盤６ａ〜６ｃが各イベントに対する交通パターン(運転パターン)を格納していれば、イベントの種類を配信すれば交通パターンを配信する必要はない。
【００３７】
さらに上記実施の形態では、複数のエレベータを制御するシステムについて説明したがこの発明はこれに限定されることはなく、少なくとも１台のエレベータを制御するエレベータ制御システムであれば適用可能であり同様な効果を奏する。
【００３８】
【発明の効果】
以上のようにこの発明によれば、建物内ＬＡＮにエレベータの群管理盤を直接接続することで、現在、建物内ＬＡＮ機能として一般的に利用されている会議室予約機能、スケジュール管理機能の情報として共通サーバーに入力されているデータを呼び出し、そのデータを元に、エレベータ群管理の制御パターン、例えば会議室サービス運転の交通パターンおよび開始時刻と終了時刻の設定をエレベータ側で自動的に実行することで、従来行っていたエレベータ群管理交通パターン入力装置による人手による設定を不要とした、手間がかからずかつより信頼性の高いエレベータ制御システムを提供できる。
【図面の簡単な説明】
【図１】  この発明の一実施の形態によるエレベータ制御システムの構成を示す図である。
【図２】  この発明のエレベータ制御システムにおける会議室サービス運転予約に関する動作を示すフローチャートである。
【図３】  この発明の別の実施の形態によるエレベータ制御システムの構成を示す図である。
【図４】  この発明のエレベータ制御システムにおけるＶＩＰサービス運転予約に関する動作を示すフローチャートである。
【図５】  従来のこの種のエレベータ制御システムの構成を示す図である。
【符号の説明】
１  建物内ＬＡＮ、２ａ〜２ｆ  個人端末、３  共通サーバー、４  エレベータ監視盤(ＣＲＴ型)、５  エレベータ用ＬＡＮ、６ａ〜６ｃ  エレベータ群管理盤、７ａ〜７ｉ  各台制御盤、８ａ〜８ｉ  各エレベータのかごとＣＷＴ。
【図１】
0003638881.tif 000002
【図２】
0003638881.tif 000003
【図３】
0003638881.tif 000004
【図４】
0003638881.tif 000005
【図５】
0003638881.tif 000006